(57)【要約】【課題】ソースを切替えたときのユーザによる音量操作の履歴を参照することにより、ソース間での音量出力レベル差が小さくなるように補正し、音量を自動調整できるようにしたオーディオ装置を提供する。【解決手段】複数のオーディオメディアソースが接続されるソース入力部と、前記複数のソースから任意のソースを選択可能とするソース切替部と、前記ソース切替部で選択されたソースの音声信号に基づいて音声を出力するスピーカと、前記スピーカから出力される音量を調整するための音量調節部と、前記スピーカよりも上流に配置され前記ソース切替部で選択されたソースからの音声信号に対して修正したゲインを設定するゲイン設定部と、前記音量操作部の操作履歴に基づいて前記ゲイン設定部において設定すべきゲインを算定して前記ゲイン設定部に供給する制御部とを含むオーディオ装置である。【選択図】        図１
2004260518.tif 000002
【特許請求の範囲】
【請求項１】
複数のオーディオメディアソースが接続されるソース入力部と、前記複数のソースから任意のソースを選択可能とするソース切替部と、前記ソース切替部で選択されたソースの音声信号に基づいて音声を出力するスピーカと、前記スピーカから出力される音量を調整するための音量調節部と、前記スピーカよりも上流に配置され前記ソース切替部で選択されたソースからの音声信号に対して修正したゲインを設定するゲイン設定部と、前記音量操作部の操作履歴に基づいて前記ゲイン設定部において設定すべきゲインを算定して前記ゲイン設定部に供給する制御部とを含む、オーディオ装置
【請求項２】
前記制御部には算定したゲインを記憶する記憶部が接続され、前記ゲインの書込み及び読出しが可能である、請求項１に記載のオーディオ装置。
【請求項３】
前記制御部は、オーディオ装置の電源が投入されたときに、前記記憶部に記憶した前記ゲインの読出しを行って、該ゲインを前記ゲイン設定部に供給する、請求項２に記載のオーディオ装置。
【請求項４】
前記制御部は、前記メディアソース間の音声出力レベル差が減少するように設定した基準テーブルに基づいて、前記ソースが切替えられる毎にゲイン算出のための判定を行い、順次に値を補正したゲインを算定する、請求項１に記載のオーディオ装置。
【請求項５】
前記記憶部には前記メディアソース間の音量出力レベルの相異を想定したゲイン初期値が予め記憶されており、前記制御部は前記ソースが切替えられる毎にゲインの算出を行い、前記ゲイン初期値を補正したゲインを算定する、請求項１に記載のオーディオ装置。
【請求項６】
前記ソースの切替えには、任意のソースとしてラジオを選択した後の聴取するラジオバンドの切替えおよびラジオ局の切替え、並びにＣＤ、ＭＤ、ＤＶＤに装填するディスクの変更が含まれる、請求項４または５に記載のオーディオ装置。
【請求項７】
新たに算定されるゲインは、その前のゲイン値に対して増減が所定範囲内となるように設定されている、請求項４または５に記載のオーディオ装置。
【請求項８】
前記制御部は、前記ソース切替部によりソースの切替えが実行されたとき、前記音量操作部の操作状態から、切替え前のソースと切替え後のソースとの音量出力レベルの相異関係を推定して、前記ゲインを算定する、請求項４または５に記載のオーディオ装置。
【請求項９】
前記制御部は、前記音量操作部の操作による音量の増加及び音量の減少、並びに音量操作部の不操作の確認をして、音量出力レベルの相異関係を推定したゲインを算定する、請求項８に記載のオーディオ装置。
【請求項１０】
前記制御部によるゲインの算定は、ソースの切替えが実行された後、所定時間内に前記音量操作部の操作が行われた場合にのみ、実行するように設定されている、請求項８に記載のオーディオ装置。
【請求項１１】
前記ソース入力部には、ラジオ、テープカセット、ＣＤ、ＭＤおよびＤＶＤから選択される少なくとも２つ以上のメディアソースが接続されている、請求項１から１０のいずれかに記載のオーディオ装置。
【請求項１２】
請求項１から１１のいずれかに記載のオーディオ装置の構成を備えた車載用オーディオ装置。
【請求項１３】
複数のオーディオメディアソースが接続されるオーディオ装置で、前記ソースを切替えたときの音声出力レベルを調整する方法であって、
切替え前のソースと切替え後のソースとの関係をスピーカから出力される音量を調整するための音量操作部の操作に基づいて判定し、前記音量操作部の操作履歴に基づいてゲインを設定して、前記ソース間での音量出力レベル差を所定範囲に調整するようにしたオーディオ装置における音声出力調整方法。
【発明の詳細な説明】
【０００１】
【発明の属する技術分野】
本発明は、ユーザによるボリューム調整（音量調整）の煩わしさを低減することができるオーディオ装置に関する。より詳細には、ラジオ、ＣＤ、ＭＤ等の複数のオーディオメディアソースが聴取可能であるオーディオ装置で、ソースを切替える毎における音量調整の煩わしさを低減できる装置に関する。
【０００２】
【従来の技術】
近年、オーディオ装置は複数のオーディオメディアソースが聴取可能となっている。例えば、オーディオ装置がＡＭ，ＦＭラジオの他、カセットテープ、ＣＤ、ＭＤ、ＤＶＤ等のメディアソースに接続され、所望の音声、音楽を楽しめるようになっている。また、車両に車載されるオーディオ装置についてもよりコンパクト化されており、同様に複数のオーディオメディアソースが聴取可能となってきている。
【０００３】
ところで、上記のように複数のメディアソースが聴取可能であるオーディオ装置では、ユーザがソースを切替えたときにスピーカから出力される音量レベル（音の大きさ）が変化する場合が多い。また、ラジオを聴取しているときにバンドをＡＭからＦＭに切替えたり、ラジオ局を切替えたときにも、スピーカから出力される音量が変化する場合がある。これは、ＣＤ，ＭＤ等を製造しているメーカ毎に、音声出力のゲイン値が設定されているからである。また、ラジオに関しては、地域によって基準となる音声、音楽レベルに差があり、ラジオ局毎に所定のゲインが固定値として初期設定されているためである。
【０００４】
よって、前述したように、ラジオ、ＣＤ、ＭＤ、ＤＶＤ等のメディアソースを備えるオーディオ装置で、ソースの切替えをユーザが実行した場合、また、ラジオ局を切替えをした場合等には音量が変化する。そのため、ユーザはソースの切替えを行う度に、自分の好みの音量に調整すべく音量摘み（ボリューム摘み）を操作する必要であった。
【０００５】
上記のようにオーディオ装置における、音量調整の煩わしさを軽減するための技術として、例えば特許文献１ではオーディオ機器の音量・音質制御装置を開示している。この装置は一度、選択した音源（前述したメディアソースに相当）毎にユーザにより調整された音量・音質を記憶設定し、これを音源毎に読み出すことで出力レベル差を補正するようにしている。このような構成であれば、再度、先のソースを読み出したときには、記憶してある音量・音質設定でオーディオ信号を再生するので、ユーザの音量調整の煩わしさが軽減される。
【特許文献１】
特開平４−３６１４１３号  公報
【０００６】
【発明が解決しようとする課題】
しかしながら、上記特許文献１で開示する技術は、メディア毎にユーザが設定した条件を単純に記憶し、これを読出しできるようにしただけであり、メディア間でのゲイン値の相異を解消するという観点から検討した技術ではない。ここで開示す技術の場合、メディア毎にユーザが設定した音量・音質が記憶されるので、稀にユーザが大きな音量でＣＤを駆動した場合にもその条件が記憶され、次回はその例外的な条件で再生されるという事態が発生する。
【０００７】
本発明の目的は、メディアソースを切替えたときのユーザによる音量操作の履歴を参照することにより、メディアソース間での音量出力レベル差が小さくなるように補正し、音量を自動調整できるようにしたオーディオ装置を提供することである。
【０００８】
【課題を解決するための手段】
本発明のオーディオ装置は、以下のような構成を含んでいる。複数のオーディオメディアソースが接続されるソース入力部と、前記複数のソースから任意のソースを選択可能とするソース切替部と、前記ソース切替部で選択されたソースの音声信号に基づいて音声を出力するスピーカと、前記スピーカから出力される音量を調整するための音量調節部と、前記スピーカよりも上流に配置され前記ソース切替部で選択されたソースからの音声信号に対して修正したゲインを設定するゲイン設定部と、前記音量操作部の操作履歴に基づいて前記ゲイン設定部において設定すべきゲインを算定して前記ゲイン設定部に供給する制御部とを含む。
【０００９】
本発明によると、制御部が音量操作部の操作履歴に基づいてメディアソース間の音声出力レベル差が減少するように修正したゲインが算定され、このゲインがゲイン設定部に供給される。ゲイン設定部では、ソース入力部からの音声信号に対し、このゲインを設定してスピーカ側に供給する。よって、ソース入力部に接続されているメディアソースで各々に異なるゲインが設定されていても、スピーカから出力される音量を一定化することができる。このように本発明のオーディオ装置は、スピーカから出力される音量が自動的に一定となるので、ソースを切替える毎にユーザが音量操作部を操作する煩雑さから開放される。
【００１０】
前記制御部には算定したゲインを記憶する記憶部が接続され、前記ゲインの書込み及び読出しが可能である構成を備えていることが望ましい。そして、ゲインを記憶部に記憶しておき、オーディオ装置の電源が投入されたときに制御部が読出しを行って、前記ゲイン設定部に供給するように構成することで、ユーザ操作を反映したゲインをゲイン設定部に順次供給できる。
【００１１】
前記制御部は、前記メディアソース間の音声出力レベル差が減少するように設定した基準テーブルに基づいて、前記ソースが切替えられる毎にゲイン算出のための判定を行い、順次に値を補正したゲインを算定するようにしてもよい。また、前記メディアソース間の音量出力レベルの相異を想定したゲイン初期値を記憶部に予め記憶しておき、前記制御部が前記ソースが切替えられる毎にゲインの算出を行い、前記ゲイン初期値を補正したゲインを算定するようにしてもよい。
【００１２】
前記ソースの切替えには、任意のソースとしてラジオを選択した後の聴取するラジオバンドの切替えおよびラジオ局の切替え、並びにＣＤ、ＭＤ、ＤＶＤに装填するディスクの変更が含まれる。新たに算定されるゲインは、その前のゲイン値に対して増減が所定範囲内となるように設定されていることが望ましい。
【００１３】
前記制御部は、前記ソース切替部によりソースの切替えが実行されたとき、前記音量操作部の操作状態から、切替え前のソースと切替え後のソースとの音量出力レベルの相異関係を推定して、前記ゲインを算定するようにしてもよい。そして、制御部が、前記音量操作部の操作による音量の増加及び音量の減少、並びに音量操作部の不操作の確認をして、音量出力レベルの相異関係を推定したゲインを算定してもよい。また、前記制御部によるゲインの算定は、ソースの切替えが実行された後、所定時間内に前記音量操作部の操作が行われた場合にのみ、実行するように設定することが望ましい。これにより、ソース間の出力レベル差を要因としない音量調節動作を対象から外すことができる。
【００１４】
【発明の実施の形態】
以下、図面に基づいて本発明の好ましい一実施形態を説明する。図１は、実施形態に係るオーディオ装置１の概要構成を示すブロック図である。本オーディオ装置１は、図示しない複数のオーディオメディアソースからの音声信号が入力されるソース入力部２を含んでいる。オーディオメディアソースとしては、例えばＡＭ，ＦＭラジオ、テープカセット、ＣＤ、ＭＤおよびＤＶＤを採用でき、本オーディオ装置１にはこれらの少なくとも２つ以上がソース入力部２に接続されている。
【００１５】
ソース入力部２の下流にはソースを選択できるセレクタ３が接続されている。また、本装置１は操作部４を備えている。この操作部４にはユーザが任意のソースを選択できるように、ソース切替部としてソース切替スイッチ１４を含んでいる。このソース切替スイッチ１４は、例えば装置１の前面に設置され、ユーザはＡＭ，ＦＭラジオ、カセットテープ、ＣＤ、ＭＤのいずれかのソースを選択できる。このソース切替スイッチ１４により、ソースが切替られた時には切替信号ＣＨがセレクタ３に供給され、選択されたソースからの音声信号がセレクタ３を介して後述するゲイン設定部１２に供給される。また、上記切替信号ＣＨは後述する制御部１０にも供給されるようになっている。
【００１６】
上記操作部４にはボリューム摘み１５を含んでいる。このボリューム摘み１５により、ユーザはスピーカから出力される音量を所望に調整できる。ユーザがボリューム摘み１５を操作したときのボリューム操作信号ＶＬは、制御部１０に供給される。図１に示す操作部４はソース切替部および音量調節部としての両機能を含んでいる。
【００１７】
制御部１０は、ソースの切替えがあったときにスピーカから出力される音量レベル差が小さくなるように補正したゲイン値を算定し、ゲイン設定部１２に供給する。ゲイン設定部１２はこの補正されたゲインを音声信号に設定して、下流側に供給する。本オーディオ装置では、制御部１０およびゲイン設定部１２が、このように適正なゲインを算定し、複数ソースから供給される音声信号にこのゲインを設定する。その結果、スピーカから出力される音量差が低減されるので、ユーザによるボリューム操作を軽減するようにしている。
【００１８】
なお、制御部１０には記憶手段としてメモリ１１が接続されており、算定したゲイン値を記憶し、またこれを読出すことができるように構成されている。また、ゲイン設定部１２の下流には、ユーザが操作したボリューム摘み１５の操作信号で音声信号を減衰させるアッテネータ５、入力された音声信号をスピーカで可聴できるまで増幅するアンプ６およびスピーカ７が順に接続されている。
【００１９】
特に、本装置１では、前記制御部１０がソース切替えを切替信号ＣＨにより確認すると共に、その後所定時間（例えば５秒）以内にユーザがボリューム摘み１５が操作されたときに発生するボリューム操作信号ＶＬを参照して、前述した補正のためのゲイン値の算定を行うという点に特徴がある。以下、この点を図２から図４を参照しながらより詳細に説明する。なお、本装置１では、ボリューム摘み１５を操作した信号は制御部１０を介して、アッテネータ５に供給される。ユーザによるボリューム摘み１５の操作量により、アッテネータ５が駆動され音声信号が減衰される。この点は一般的なオーディオ装置と同様である。
【００２０】
しかし、制御部１０はソース切替え後の所定時間（例えば５秒）以内に、ボリューム摘み１５が音量を大きくする方向（Ｕｐ）へ操作されたか、または、音量を小さくする方向（Ｄｏｗｎ）へ操作されたか、あるいは、ボリューム摘み１５が操作されなかった（変化なし→）かを、さらに監視している。例えばボリューム摘み１５がＵｐの操作をされた場合は、あるソース（先のソース）から他のソース（後のソース）へ切替えを行った時に、後のソースの音量（音量出力レベル）が小さいので、ユーザがボリュームをアップさせたと考えられる。本装置１では、このようなユーザの操作履歴を推定して、補正すべきゲインを順次更新する。これにより、終局的にユーザがボリューム摘み１５を操作する必要が無くなる様に、スピーカから出力される音量の平均化を図っている。
【００２１】
なお、本装置１では、前述したようにソースの切替えから所定時間（例えば５秒）以内のボリューム摘み１５の操作のみを、制御部１０がゲインの算定に採用する。このようにしているのは、スピーカからの音量が大き過ぎる、あるいは、小さ過ぎるという場合、ユーザはソースの切替えをした直後に、迅速にボリューム摘み１５により音量調整を実行するからである。その逆に、通常より周辺がうるさいのでスピーカの音量を上げた、たまたま大きな音で音楽を聴きたいと感じて音量を上げた等の場合には、ソースを切替えた後に暫くしてからボリューム摘み１５の操作をするというのが一般的である。よって、本装置１では、このようなユーザの例外的な音量調節を排除し、ソース間の出力音量差を軽減する制御を実行するため、上記のように所定時間内のボリューム操作のみを対象としている。
【００２２】
図２は、制御部１０がボリューム摘み１５の操作に対してゲインを算定する際に用いる判定基準テーブルの一例を示した図である。この図２は、他ソース（ａ）、自ソースおよび他ソース（ｂ）の３つのソースを示し、その間で切替えが行われる全てのパターンについて判定例を示している。図２では、他ソース（ａ）、自ソース、他ソース（ｂ）の順で切替えを行い、中間の自ソースがどのように判定されるかについて示している。ただし、判定されるべき自ソースが切替え操作の始めとなる場合、その逆に自ソースが切替え操作の最後となる場合を考慮して、動作なし（−）をいずれかに含むパターンも含めて例示している。
【００２３】
この図２には、他ソース（ａ）から自ソースへのパターンとして「Ｕｐ（音量を上げた）」、「Ｄｏｗｎ（音量を下げた）」、「→（不操作で、音量の変化なし）」の３種類が有り、自ソースから他ソース（ｂ）へのパターンも「Ｕｐ」、「Ｄｏｗｎ」、「→」の３種類ある。よって、基本パターンとして、３×３で小計９種類がある。また、自ソースが切替え操作の始めとなる例外パターンは、動作なし（−）から「Ｕｐ」または「Ｄｏｗｎ」となるので２種、その逆に自ソースが切替え操作の最後となる例外パターンも「Ｕｐ」または「Ｄｏｗｎ」から動作なし（−）の２種があり、小計４種類となる。よって、図２には、９＋４で合計１３種の切替えパターンが示されている。これらパターンに対して、ＡからＭの１３の判定が設定されている。
【００２４】
例えば、図２の最上段の「Ａ判定」では、他（ａ）→自ソース→他ソース（ｂ）と切替えを行った場合の判定を示している。そして、最初の他（ａ）→自ソースへの切替えではボリューム摘み１５が不操作（→）で、つづく自ソースから他ソース（ｂ）への切替えではボリューム摘み１５がＤｏｗｎされ音量が低減されている。この状態は、最初の切替えで、自ソースは他ソース（ａ）とほぼ同じ音量であったので、ユーザはボリューム摘み１５を操作しなかった。しかし、次に他ソース（ｂ）へ切替えた時には、音量が大き過ぎたのでユーザが音を絞る（音量を低減する）動作を行ったと推定される。この動作推定は、図２の右欄「状態」に、各判定についてまとめて記載している。そして、この状態が確認されたときにＡ判定では、中欄「動作」に記載するように、制御部１０は自ソースおよび他ソース（ａ）以外のソースレベルを１ｄＢ下げるような補正のゲインを算定して、これをゲイン設定部１２に供給する。
【００２５】
２段目以降の判定Ｂ〜Ｍについても同様であり、ソース切替え時のボリューム摘み１５の操作により、「状態」の欄に示す状態が確認され、中欄の「動作」に記載するようなゲイン算定とゲイン設定部１２でのゲインの設定が実行される。なお、本実施形態では、判定Ｄから判定Ｉおよび判定Ｌ、Ｍでは動作無しとして、音量を変更する制御を実行しないこととしている。本実施形態の判定では、自ソースを基準にして、ソース間で音量差があると推定されたときには、音量の大きい方を小さくする方向に制御するからである。また、ゲイン設定部１２で従前に設定していたゲイン値に基づいて出力されていた音量に対し、更新するゲイン値に基づく出力音量は大きく変化させないように調整するのが好ましい。そこで、本装置１の制御部１０では、例えば従前のゲイン値に基づく出力音量に対して、音量変化の増減がプラス、マイナス６ｄＢ程度となるように更新するゲイン値が設定されている。
【００２６】
図３および図４では、図２に示した基準テーブルに基づいて制御部１０が４種類のソース（ａ）〜（ｄ）に対して判定を実行して、ゲインを算定する具体例を示した図である。図３および図４の各々について、（Ａ）はボリューム摘み１５を操作することなく、スピーカ７から出力されるソース（ａ）〜（ｄ）の音量差を相対的に示した図である。すなわち、（ａ）はボリューム摘み１５を固定し、ソース切替えをしてスピーカ７から出力される音量差を示す図である。図３および図４の（Ｂ）は、（Ａ）のような音量差特性があるソース間のソース切替えをユーザが実行し、そのときに行うボリューム摘み１５の操作履歴を例示した図である。
【００２７】
また、図３および図４の（Ｃ）は、（Ｂ）に示すユーザによるソース切替えと、これに伴うボリューム摘み１５の操作に対して、制御部１０が図２に示した基準テーブルに基づいて判定した結果と、ゲイン設定部１２に供給されたゲインにより補正される音声信号の音量（動作結果）が示されている。さらに、図３および図４の（Ｄ）は、（Ｃ）の判定結果に基づいてスピーカから出力されるソース（ａ）〜（ｄ）の音量差を相対的に示した図である。
【００２８】
図３（Ｂ）で、ユーザはソースａからソースｃに切替えた際に、音量を上げている（Ｕｐしている）。次に、ソースｃからソースｄに切替えた際にも、音量を上げている（Ｕｐしている）。制御部１０はこの操作を図２の基準テーブルを参照して判定する。ソースａについては、先に操作なし（−）からＵｐの動作があったので、判定はＭとなる。よって、図３（Ｃ）のソースａの総判定にＭが採用される。つぎのソースｃに関しては、前のソースａから切替えられたときＵｐされ、後のソースｄに切替えられた後にもＵｐされる動作があったので判定はＦとなる。制御部１０は、上記のような判定を順次実行する。
【００２９】
そして、図３（Ｃ）に示すように、制御部１０は１つのソースに対する総判定が複数あるときには、図２の基準テーブルの優先順位に従って最終判定（判定結果）を決定する。判定結果はソースａが判定Ｄ、ソースｂが判定Ｅ、ソースｃが判定Ｆ、ソースｄが判定Ｃである。この（Ｃ）に示す判定では、図２の基準テーブルを参照して、最終的にソースｄに関する判定Ｃのみが有効となり、これに基づいてゲインが設定される。
【００３０】
制御部１０は、上記結果に基づいてゲインを算定し、ゲイン設定部１２に供給する。右欄の「動作結果」に示すように、ソース間の出力音量を低減させるように制御できる補正のゲイン値を算定して、ゲイン設定部１２に供給する。具体的には、ソースａからの音量を１ｄＢ下げる、ソースｂからの音量を１ｄＢ下げる、ソースｃからの音量を１ｄＢ下げる、およびソースｄからの音量を維持する、という結果が得られるゲイン値が制御部１０で算定され、ゲイン設定部１２に供給される。
【００３１】
ゲイン設定部１２が、上記ゲインを音声信号に設定してソース間の出力音量差を小さくさせる。このようにゲイン調整が行われた後の音声信号に基づいて、スピーカ７から出力される音量差をソース（ａ）〜（ｄ）について示したのが図３（Ｄ）である。全体として、ソース（ａ）〜（ｄ）間での音量差が小さくなっていることが確認できる。
【００３２】
図３で示した例は、理解の為に８回のソース切替えを例とし、本装置１でのゲイン調整を示している。ソースの切替えがより多数になるに従って、ソース（ａ）〜（ｄ）間での音量差がより小さくなり、終局的にはユーザが音量調整することが殆ど不要な自動設定の状態が実現される。図３では、特にソースの種類を限定してはいないが、ラジオ、ＣＤ，ＭＤ等を切替える場合の他、ラジオでバンドをＡＭからＦＭに切替える場合、同じバンドでラジオ局を他局に切替える場合もここでのソース切替えに含んでゲインの調整がなされる。
【００３３】
本装置１では、図３で例示した制御部１０によるゲインの算定が、ソース切替え毎に行われている。その算定値はメモリ１１に記憶される。そして、装置１の電源がオフされ、その後、再び電源投入（オン）されたときにメモリ１１に記憶したゲイン値が制御部１０により読み出され、ゲイン設定部１２に供給される。これにより、ゲインはそれ以前のゲインからより適正なゲインに更新されることになる。このような動作を順次、繰り返すことにより、各ソース間の音声出力差が軽減される。なお、接続されるソース間の音量出力レベルの相異を予め想定したゲイン初期値を、例えばメモリ１１或いはゲイン設定部１２に予め格納し、この初期値を前提にその後の操作に伴って前述したようにしてゲインを補正するようにしてもよい。この場合には、本装置１を最初に、電源投入する時からある程度、ソース間の音量差が低減されているので、より望ましいオーディオ装置となる。
【００３４】
なお、図４は、図３とは異なる順序でソース切替えを行ったときに、制御部１０が同様に判定を実行し、ゲインを算定する様子を示した他の具体例をした図である。この図４では、ソース切替えの順番が図３の場合とは異なり、結果として設定されるゲインのパターンも異なっている。しかし、図３の場合と同様に全体としてソース間の音声出力差が軽減され、同様に音量調整操作の軽減できることが確認できる。
【００３５】
以上、本発明の好ましい一実施形態について詳述したが、本発明は係る特定の実施形態に限定されるものではなく、特許請求の範囲に記載された本発明の要旨の範囲内において、種々の変形・変更が可能である。例えば、上記実施形態で示したオーディオ装置は室内用に限らず、コンパクト化された車載用のオーディオ装置であってもよい。
【００３６】
【発明の効果】
以上詳述したところから明らかなように、本発明によれば、ソース入力部に接続されているメディアソースで各々に異なるゲインが設定されていても、スピーカから出力される音量を一定化することができる。このようにスピーカから出力される音量が自動的に一定化されるので、ソースを切替える毎にユーザが音量操作部を操作する煩雑さから開放される。
【図面の簡単な説明】
【図１】実施形態に係るオーディオ装置の概要構成を示すブロック図である。
【図２】オーディオ装置の制御部がボリューム摘みの操作に対してゲインを算定する際に用いる判定基準テーブルの一例を示した図である。
【図３】図２に示した基準テーブルに基づいて制御部が判定して、ゲインを算定する様子を示した具体例をした図である。（Ａ）はゲイン補正前のソース（ａ）〜（ｄ）に基づいてスピーカから出力されるの音量の差を相対的に示した図である。（Ｂ）は（Ａ）のような音量差特性があるソース間のソース切替えをユーザが実行し、そのときに行うボリューム摘みの操作履歴を例示した図である。（Ｃ）は、（Ｂ）に示すユーザによるソース切替えと、これに伴うボリューム摘みの操作に対して、制御部が基準テーブルに基づいて判定した結果と、ゲイン設定部に供給されたゲインにより補正される音声信号の結果を示した図である。（Ｄ）は、（Ｃ）の判定結果でゲイン補正されたソース（ａ）〜（ｄ）の音声信号に基づいてスピーカから出力される音量の差を相対的に示した図である。
【図４】図２に示した基準テーブルに基づいて制御部が判定して、ゲインを算定する様子を示した他の具体例を、図３と同様に示した図である。
【符号の説明】
１        オーディオ装置
２        ソース入力部
３        セレクタ
４        操作部
７        スピーカ
１０      制御部
１１      メモリ（記憶部）
１２      ゲイン設定部
１４      ソース切替スイッチ（ソース切替部）
１５      ボリューム摘み（音量調節部）
【図１】
2004260518.tif 000003
【図２】
2004260518.tif 000004
【図３】
2004260518.tif 000005
【図４】
2004260518.tif 000006